(57)【特許請求の範囲】
【請求項１】
箱状部材と、この箱状部材の開口部分を塞ぐ蓋状部材とで大略構成され、かつ内部に少なくとも色光分離光学系が収容される光学部品用筐体であって、前記蓋状部材には、前記色光分離光学系からの色光を投写する投写レンズ用の固定部が一体に設けられており、前記箱状部材には、前記色光分離光学系が取り付けられており、前記投写レンズ用の固定部が設けられた蓋状部材には、前記色光分離光学系からの色光の偏光光を所定の情報に従って変調する電気光学装置と、変調された複数の前記色光を合成する色光合成光学系とが固定されており、前記色光分離光学系を構成する光学部品は、脱落防止部材によって前記箱状部材に固定されていることを特徴とする光学部品用筐体。
【請求項２】
請求項１に記載の光学部品用筐体において、前記投写レンズ用の固定部が設けられた前期蓋状部材は、金属製であることを特徴とする光学部品用筐体。
【請求項３】
前記請求項１または２に記載の光学部品用筐体を備えていることを特徴とする投写型表示装置。
【発明の詳細な説明】
【０００１】
【発明の属する技術分野】
本発明は、箱状部材と、この箱状部材の開口部分を塞ぐ蓋状部材とで大略構成され、かつ内部に色光分離光学系が収容される光学部品用筐体、およびこの光学部品用筐体を用いた投写型表示装置に関する。
【０００２】
【背景技術】
従来より、光源から出射される光束を画像情報に応じて光学像を形成する電気光学装置と、この電気光学装置で形成された画像を拡大投写する投写レンズとを備えた投写型表示装置が知られており、会議、学会、展示会等でのマルチメディアプレゼンテーションに広く利用されている。
【０００３】
具体的には、このような投写型表示装置では、光源と電気光学装置との間に色光分離光学系が配置されている。この色光分離光学系は、外光を遮断した光学部品用筐体（ライトガイド）内に収容され、光源からの光束を３色（赤、緑、青）の色光に分離させた後、各色光を前記電気光学装置側に出射するように構成されている。そして、電気光学装置で形成された各色光による３色の画像は、色光合成光学系（プリズム）に出射されてカラー画像として合成された後、金属製の支持部材（ヘッド体）に支持された投写レンズを介して拡大投射される。
【０００４】
【発明が解決しようとする課題】
しかしながら、投写型表示装置は、プレゼンテーション用の会議室等に設置された状態で維持されることもあるが、必要に応じて持ち込まれたり、終了時に他の場所に移して保管する場合もある。従って、持ち運びを容易にするために携帯性を向上させる必要があり、装置の小型化および軽量化が要望されている。
【０００５】
本発明の目的は、装置の小型化および軽量化を促進できる光学部品用筐体、および、これを用いた投写型表示装置を提供することにある。
【０００６】
【課題を解決するための手段】
本発明の光学部品用筐体は、箱状部材と、この箱状部材の開口部分を塞ぐ蓋状部材とで大略構成され、かつ内部に少なくとも色光分離光学系が収容される光学部品用筐体であって、前記蓋状部材には、前記色光分離光学系からの色光を投写する投写レンズ用の固定部が一体に設けられており、前記箱状部材には、前記色光分離光学系が取り付けられており、前記投写レンズ用の固定部が設けられた蓋状部材には、前記色光分離光学系からの色光の偏光光を所定の情報に従って変調する電気光学装置と、変調された複数の前記色光を合成する色光合成光学系とが固定されており、前記色光分離光学系を構成する光学部品は、脱落防止部材によって前記箱状部材に固定されていることを特徴とするものである。
【０００７】
このような本発明によれば、光学部品用筐体を構成する蓋状部材に投写レンズ用の固定部を設けるため、この投写レンズが光学部品用筐体に直に固定されるようになる。従って、従来用いられていた支持部材が不要となり、その分装置の小型化および軽量化が図られる。
さらに、本発明の光学部品用筐体では、前記投写レンズ用の固定部が設けられた前記蓋状部材に、前記色光分離光学系からの色光の偏光光を所定の情報に従って変調する電気光学装置と、変調された複数の前記色光を合成する色光合成光学系とを固定して、電気光学装置および色光合成光学系を投写レンズと同じ部材に固定するので、箱状部材と蓋部材とを接合した時に、電気光学装置、色光合成光学系、および投写レンズの相互間で位置ずれを起こすおそれがなく、画像品質が良好に維持される。
そして、本発明の光学部品用筐体では、前記投写レンズ用の固定部を前記蓋状部材に設け、前記色光分離光学系を前記箱状部材に設けているので、箱状部材の周囲を形成する立上部分を利用して色光分離光学系の光学部品を支持可能であり、支持構造が簡略化される。
また、特に固定部が設けられた方の部材を金属製にする場合について言えば、本発明では蓋部材が金属製となるが、このことは、表面積がより大きい箱状部材を金属製にする場合に比して軽量化が図られることであり、重量の大きい投射レンズを確実に支持しつつ、軽量化も十分に図られる。
更にまた、前記色光分離光学系を構成する光学部品を、脱落防止部材によって前記箱状部材に固定しているので、箱状部材から色光分離光学系の光学部品が外れて脱落する心配がないので、箱状部材の取り扱いが容易になる。すなわち、投写レンズを予め蓋状部材に固定するとともに、この蓋状部材を平置きしておき、箱状部材の方を持って蓋部材への取付作業を行えば、投写レンズを固定することで重くなる蓋状部材を持って取付作業を行う必要がないうえ、箱状部材を持ちながら行う前記取付作業中においても、色光分離光学系の光学部品の脱落が防止されるから、前記取付作業が容易かつ迅速に行われる。
【０００８】
また、本発明の光学部品用筐体では、前記投写レンズ用の固定部が設けられた前記蓋状部材を金属製にすることが望ましい
【０００９】
このような場合には、他の部品に比して重量の大きい投写レンズが確実に支持されるようになる。
【００１０】
ここで、金属の材質としては、肉厚の割に軽量なマグネシウムなどを適用できる。
【００１８】
一方、本発明の投写型表示装置は、以上説明したいずれかの光学部品用筐体を備えたものであり、前述したように、投写型表示装置の小型化および軽量化が促進され、本発明の目的を達成できる。
【００１９】
【発明の実施の形態】
以下、本発明の一実施形態を図面に基づいて説明する。
【００２０】
（１）装置の全体構成
図１には、本実施形態に係る投写型表示装置１の概略斜視図が示されている。投写型表示装置１は、光源ランプから出射された光束を色光分離光学系で赤（Ｒ）、緑（Ｇ）、青（Ｂ）の三原色に分離し、これらの各色光束を、電気光学装置を構成する液晶パネルを通して画像情報に対応させて変調し、変調した後の各色の変調光束をプリズム（色光合成光学系）により合成して、投写レンズ６を介して投写面上に拡大表示する形式のものである。各構成部品は外装ケース２内に収納されている。
【００２１】
（２）外装ケースの構造
外装ケース２は、基本的には、装置上面を覆うアッパーケース３と、装置底面を構成するロアーケース４と、背面部分を覆うリアケース（図示略）とから構成され、アッパーケース３およびロアーケース４がマグネシウムダイキャスト製で、リアケースが樹脂製である。
【００２２】
アッパーケース３の上面の略中央右側（正面から見て右側）には、空気取入口２４０が設けられ、この空気取入口２４０は、樹脂製のフィルタ交換蓋２４１で覆われている。このフィルタ交換蓋２４１には、外部から取り入れた空気を装置内部へ冷却空気として導入するためのスリット状の開口２４１Ａが形成され、当該フィルタ交換蓋２４１の内側には、エアフィルタ（図示略）が設けられている。このフィルタ交換蓋２４１をアッパーケース３の上面側から着脱することで、内部のエアフィルタを交換することが可能である。
【００２３】
アッパーケース３およびロアーケース４の前面の各立上部分には、上下に連続した切欠開口が設けられ、各切欠開口で形成された大きな開口部分が装置内部の空気を排出する排気口１６０になっている。
【００２４】
このような外装ケース２の空気取入口２４０寄りの側面および背面には、図示しない外部電力供給用のＡＣイントレットや各種の入出力端子群が配置されている。
【００２５】
（３）装置の内部構造
図２ないし図４には、投写型表示装置１の内部構造が示されている。
【００２６】
これらの図に示されるように、装置１の内部には、投写レンズ６の一側方に間隔を開けて配置された光源ランプユニット８、これらの投写レンズ６および光源ランプユニット８の間に配置されて光学系を構成する光学ユニット１０、光学ユニット１０の電気光学装置９２５（図４）を駆動するドライバーボード（図示略）、装置１全体を制御するメインボード（図示略）の他、ＡＣインレットからの電力を変圧して光源ランプユニット８や、ドライバーボード、メインボード、電気光学装置９２５の上方に配置された冷却ファン１７、光源ランプユニット８の前方（冷却空気の流れ方向で言うところの後方）に配置された排気ファン（図示略）などに供給する電源ユニット（図示略）を備えている。なお、電源ユニットは、装置１内の配置スペースを勘案して複数に分割して構成されてもよい。
【００２７】
光源ランプユニット８は、投写型表示装置１の光源部分を構成するものであり、図５にも示されるように、光源ランプ１８１および凹面鏡１８２からなる光源１８３と、この光源１８３を収納するランプハウジング（図示略）とを有している。このような光源ランプユニット８は、前述した冷却ファン１７からの冷却空気や、外装ケース２と投写レンズ６との間の隙間から吸引される冷却空気で冷却される。冷却空気は、先ず、吸引された直後に電気光学装置９２５等を冷却し、この後に装置１内部の略全域を冷却するように左方側に流れ、最終的にはその大部分が光源ランプユニット８内を通って排気ファン（図示略）により、前面の排気口１６０から排気される。従って、排気ファンの直前に光源ランプユニット８が配置されていることにより、その内部の光源１８３を大量の冷却空気で効率よく冷却することが可能である。
【００２８】
光学ユニット１０は、光源ランプユニット８から出射された光束を、光学的に処理して画像情報に対応した光学像を形成するユニットであり、光学部品用筐体としてのライトガイド９００を備えている。このライトガイド９００は、樹脂製で箱状とされた上ライトガイド９０１と、マグネシウム製で蓋状とされた下ライトガイド９０２とで構成され、下ライトガイド９０２には投写レンズ６が固定される固定部としての鉛直なヘッド板９０３が一体に設けられている。
【００２９】
また、図示は省略されているが、電気光学装置９２５を駆動・制御するための前記ドライバーボードが光学ユニット１０の上方に配置され、光学ユニット１０の後方に、投写型表示装置１全体を制御する制御回路が形成されたメインボードが立設配置される。従って、メインボードとドライバーボードとは互いに直角に配置されて電気的に接続される。また、前述の入力端子群が設けられたＡＶボードがメインボードと同様に立設配置され、このメインボードに電気的に接続される。
【００３０】
（４）光学系の構造
次に、図３、図５を参照して前記光学ユニット１０について詳細に説明する。
【００３１】
光学ユニット１０は、それぞれ上ライトガイド９０１内に収容された照明光学系９２３と、色光分離光学系９２４と、リレー光学系９２７と、それぞれ下ライトガイド９０２に固定された電気光学装置９２５と、色光合成光学系としてのクロスダイクロイックプリズム９１０と、下ライトガイド９０２のヘッド板９０３に固定された投写レンズ６とで構成されている。
【００３２】
照明光学系９２３は、電気光学装置９２５の３枚の液晶パネル９２５Ｒ，９２５Ｇ，９２５Ｂの画像形成領域をほぼ均一に照明するためのインテグレータ照明光学系であり、光源１８３と、第１のレンズアレイ９２１と、第２のレンズアレイ９２２と、反射ミラー９３１と、重畳レンズ９３２とを備えている。これらのレンズアレイ９２１，９２２、重畳レンズ９３２、および反射ミラー９３１は、上ライトガイド９０１の立上部分に支持された状態で配置されているとともに、脱落防止部材としてのクリップ７によって固定され、上ライトガイド９０１を図３に示す状態から反転させても脱落しないようになっている。
【００３３】
照明光学系９２３を構成する光源１８３は、放射状の光線を出射する放射光源としての光源ランプ１８１と、光源ランプ１８１から出射された放射光をほぼ平行な光線束として出射する凹面鏡１８２とを有する。光源ランプ１８１としては、ハロゲンランプやメタルハライドランプ、高圧水銀ランプが用いられることが多い。凹面鏡１８２としては、放物面鏡や楕円面鏡を用いることが好ましい。
【００３４】
第１のレンズアレイ９２１は、略矩形状の輪郭を有する小レンズ９２１１がＭ行Ｎ列のマトリクス状に配列された構成を有している。各小レンズ９２１１は、光源から入射された平行な光束を複数の（すなわちＭ×Ｎ個の）部分光束に分割し、各部分光束を第２のレンズアレイ９２２の近傍で結像させる。各小レンズ９２１１の輪郭の形状は、液晶パネル９２５Ｒ，９２５Ｇ，９２５Ｂの画像形成領域の形状とほぼ相似形をなすように設定されている。例えば、液晶パネルの画像形成領域のアスペクト比（横と縦の寸法の比率）が４：３であるならば、各小レンズのアスペクト比も４：３に設定する。
【００３５】
第２のレンズアレイ９２２も、第１のレンズアレイ９２１の小レンズ９２１１に対応するように、小レンズ９２２１がＭ行Ｎ列のマトリクス状に配列された構成を有している。第２のレンズアレイ９２２は、第１のレンズアレイ９２１から出射された各部分光束の中心軸（主光線）が重畳レンズ９３２の入射面に垂直に入射するように揃える機能を有している。ここで、重畳レンズ９３２は、複数の部分光束を３枚の液晶パネル９２５Ｒ，９２５Ｇ，９２５Ｂ上で重畳させる機能を有している。また、第２のレンズアレイ９２２は、図５に示されるように、反射ミラー９３１を挟んで第１のレンズアレイ９２１に対して９０度傾いて配置されている。
【００３６】
反射ミラー９３１は、第１のレンズアレイ９２１から出射された光束を第２のレンズアレイ９２２に導くためのミラーであり、照明光学系の構成によっては、必ずしも必要としない。例えば、第１のレンズアレイ９２１および光源が第２のレンズアレイ９２２に平行に設けられていれば不要である。
【００３７】
色光分離光学系９２４は、本発明に係る光学部品としての２枚のダイクロイックミラー９４１，９４２と、反射ミラー９４３とを備え、照明光学系９２３の重畳レンズ９３２から出射される光を、赤、緑、青の３色の色光に分離する機能を有している。各ミラー９４１，９４２，９３は、前述と同様に上ライトガイド９０１の立上部分に支持され、クリップ７によって上ライトガイド９０１に固定されている。
【００３８】
リレー光学系９２７は、入射側レンズ９５４、リレーレンズ９７３、および反射ミラー９７１，９７２を備えており、これらの反射ミラー９７１，９７２もクリップ７によって上ライトガイド９０１に固定されている。
【００３９】
電気光学装置９２５の液晶パネル９２５Ｒ，９２５Ｇ，９２５Ｂは、例えば、ポリシリコンＴＦＴをスイッチング素子として用いたものである。各液晶パネル９２５Ｒ，９２５Ｇ，９２５Ｂは、上ライトガイド９０１の外側であって、上ライトガイド９０１の外周に設けられた凹状部９０４（図３）に対応して配置され、かつクロスダイクロイックプリズム９１０の三方の側面に対向した状態で下ライトガイド９０２上にネジ止めされている。各液晶パネル９２５Ｒ，９２５Ｇ，９２５Ｂの光入出射面側には、入射側偏光板９６０Ｒ，９６０Ｇ，９６０Ｂが、光出射面側には出射側偏光板９６１Ｒ，９６１Ｇ，９６１Ｂがそれぞれ配置されている。
【００４０】
クロスダイクロイックプリズム９１０は、３色の色光を合成してカラー画像を形成する機能を有し、下ライトガイド９０２の上面に固定ネジにより固定されている。クロスダイクロイックプリズム９１０には、赤光を反射する誘電体多層膜と、青光を反射する誘電体多層膜とが、４つの直角プリズムの界面に沿って略Ｘ字状に形成され、これらの誘電体多層膜によって３つの色光が合成される。
【００４１】
投写レンズ６は、投写型表示装置１の中でも最も重量の大きい光学部品であり、その基端側に設けられたフランジ６２を介して下ライトガイド９０２のヘッド板９０３にボルト等で固定されている。
【００４２】
以上のように構成された光学ユニット１０は、以下のようにして組み立てられる。
【００４３】
先ず、箱状の上ライトガイド９０１をその開口側が上向きとなるようにして置き、この上ライトガイド９０１内に照明光学系９２３、色光分離光学系９２４、およびリレー光学系９２７などを構成する各光学部品（反射ミラー、各種のレンズ等）を配置し、それらの光学部品をクリップ７で上ライトガイド９０１に固定する。
【００４４】
一方、蓋状の下ライトガイド９０２においては、その上面に液晶パネル９２５Ｒ，９２５Ｇ，９２５Ｂを固定したクロスダイクロイックプリズム９１０を固定し、ヘッド板９０３に投写レンズ６を固定しておく。そして、この下ライトガイド９０２をロアーケース４に固定する。なお、下ライトガイド９０２単体を先にロアーケース４にネジ止めした後、液晶パネル９２５Ｒ，９２５Ｇ，９２５Ｂおよびクロスダイクロイックプリズム９１０を搭載したり、投写レンズ６を固定したりしてもよい。
【００４５】
次いで、各光学部品が搭載された上ライトガイド９０１を持って反転させ、下ライトガイド９０２に被せるようにして取り付け、この状態のまま、上ライトガイド９０１もロアーケース４に固定する。
【００４６】
なお、本実施形態において、下ライトガイド９０２へのクロスダイクロイックプリズム９１０や投写レンズ６の固定、ロアーケース４への上下ライトガイド９０１，９０２の固定は、ネジによって行われているが、そのような固定を接着や嵌合形式など、他の適宜な固定方法で行ってもよい。
【００４７】
（５）光学系の機能
図５に示す光学ユニット１０において、光源１８３から出射された略平行な光束は、インテグレータ光学系（照明光学系９２３）を構成する第１と第２のレンズアレイ９２１，９２２によって、複数の部分光束に分割される。第１のレンズアレイ９２１の各小レンズ９２１１から出射された部分光束は、重畳レンズ９３２によって、液晶パネル９２５Ｒ，９２５Ｇ，９２５Ｂの画像形成領域上で概ね重畳される。その結果、各液晶パネル９２５Ｒ，９２５Ｇ，９２５Ｂは、面内分布がほぼ均一な照明光によって照明される。
【００４８】
この際、色光分離光学系９２４の第１のダイクロイックミラー９４１では、照明光学系９２３から出射された光束の赤色光成分が反射するとともに、青色光成分と緑色光成分とが透過する。第１のダイクロイックミラー９４１によって反射した赤色光は、反射ミラー９４３で反射し、フィールドレンズ９５１を通って赤色用の液晶パネル９２５Ｒに達する。このフィールドレンズ９５１は、第２のレンズアレイ９２２から出射された各部分光束をその中心軸（主光線）に対して平行な光束に変換する。他の液晶パネル９２５Ｇ，９２５Ｂの前に設けられたフィールドレンズ９５２，９５３も同様である。
【００４９】
第１のダイクロイックミラー９４１を透過した青色光と緑色光のうちで、緑色光は第２のダイクロイックミラー９４２によって反射し、フィールドレンズ９５２を通って緑色用の液晶パネル９２５Ｇに達する。一方、青色光は第２のダイクロイックミラー９４２を透過してリレー光学系９２７を通り、さらにフィールドレンズ９５３を通って青色光用の液晶パネル９２５Ｂに達する。なお、青色光にリレー光学系９２７が用いられているのは、青色光の光路の長さが他の色光の光路の長さよりも長いため、光の拡散等による光の利用効率の低下を防止するためである。すなわち、入射側レンズ９５４に入射した部分光束をそのまま、フィールドレンズ９５３に伝えるためである。
【００５０】
赤、緑、青の各色光は、液晶パネル９２５Ｒ，９２５Ｇ，９２５Ｂに入射するにあたり、入射側偏光板９６０Ｒ，９６０Ｇ，９６０Ｂで特定の偏光光のみとされる。この後、各偏光光は、各液晶パネル９２５Ｒ，９２５Ｇ，９２５Ｂにおいて与えられた画像情報に従って変調され、変調光として出射側偏光板９６１Ｒ，９６１Ｇ，９６１Ｂに出射される。そして、出射側偏光板９６１Ｒ，９６１Ｇ，９６１Ｂにおいては、変調光のうちの特定の偏光光のみが透過し、クロスダイクロイックプリズム９１０に出射される。出射された各色光の偏光光は、クロスダイクロイックプリズム９１０で合成されて合成光となり、投写レンズ６の方向に出射される。この合成光は、投写レンズ６により投写スクリーン等の投写面上にカラー画像として投射される。
【００５１】
（６）実施形態の効果
このような本実施形態によれば、以下のような効果がある。
【００５２】
すなわち、ライトガイド９００を構成する蓋状の下ライトガイド９０２には、投写レンズ６を固定するためのヘッド板９０３が一体に設けられているため、投写レンズ６をライトガイド９００に直に固定できる。従って、従来用いられていた支持部材を不要にでき、その分装置１の小型化および軽量化を促進できる。
【００５３】
また、ヘッド板９０３が設けられた下ライトガイド９０２はマグネシウムからなる金属製であるから、他の部品に比して重量の大きい投写レンズ６を確実に支持できる。
【００５４】
そして、下ライトガイド９０２は金属製であるが、より表面積の大きい上ライトガイド９０１が樹脂製とされているので、ライトガイド９００全体の重量としてはさほど大きくならず、十分に軽量化できる。
【００５５】
投写レンズ６と、色光分離光学系９２４からの色光の偏光光を所定の情報に従って変調する各液晶パネル９２５Ｒ，９２５Ｇ，９２５Ｂと、変調された複数の色光を合成するクロスダイクロイックプリズム９１０とが同じ下ライトガイド９０２に固定されているので、上ライトガイド９０１を下ライトガイド９０２に被せて接合した時に、それら液晶パネル９２５Ｒ，９２５Ｇ，９２５Ｂ、クロスダイクロイックプリズム９１０、投写レンズ６の相互間で位置ずれを起こすおそれがなく、画像品質を良好に維持できる。
【００５６】
そして、照明光学系９２３、色光分離光学系９２４、およびリレー光学系９２７を構成する光学部品は、箱状の上ライトガイド９０１に設けられているため、各光学部品を上ライトガイド９０１の周囲の立上部分を利用して支持でき、支持構造を簡略化できるとともに、各光学部品の位置ずれなども有効に防止できる。この際、各光学部品はクリップ７で上ライトガイド９０１に固定されているので、上ライトガイド９０１から光学部品が外れて脱落する心配がなく、上ライトガイド９０１の取り扱いを容易にできる。すなわち、投写レンズ６を予め下ライトガイド９０２に固定するとともに、各光学部品が搭載された上ライトガイド９０１の方を持って下ライトガイド９０２への取付作業を行えば、投写レンズ６を固定することで重くなる下ライトガイド９０２を持って取付作業を行う必要がないうえ、上ライトガイド９０１を持ちながら行う取付作業中においても、光学部品の脱落を防止できるから、取付作業を容易かつ迅速に行える。
【００５７】
（７）実施形態の変形
なお、本発明は、前記実施形態に限定されるものではなく、本発明の目的を達成できる他の構成等を含み、以下に示すような変形等も本発明に含まれる。
【００５８】
例えば、前記実施形態では、投写レンズ６を固定するヘッド板９０３が下ライトガイド９０２に設けられていたが、このようなヘッド板を上ライトガイドに設けた場合でも本発明に含まれる。
【００５９】
また、下ライトガイドを箱状に設け、上ライトガイドを蓋状に設けてもよく、このような場合には、投写レンズ、電気光学装置、色光合成光学系の他、照明光学系、色光分離光学系、リレー光学系等も下ライトガイドに取り付けることが望ましい。
【００６０】
要するに、本発明では、投写レンズがライトガイド９００のような光学部品用筐体の蓋状部材あるいは箱状部材に直に固定されていればよく、投写レンズやその他の光学系を蓋状部材および箱状部材のどちらに固定するかは、作業性などを勘案して任意に決められてよい。
【００６１】
本発明に係る脱落防止部材としてもクリップ７に限らず、光学部品の脱落を防止できる部材であれば、その形状や構造等は任意である。
【００６２】
さらに、前記実施形態では、電気光学装置９２５は、３枚の液晶パネル９２５Ｒ，９２５Ｇ，９２５Ｂから構成されていたが、これに限らず、１枚、２枚の液晶パネルから構成される光変調装置に本発明を採用してもよい。
【００６３】
そして、前記実施形態では、電気光学装置９２５を構成するパネルは液晶素子から構成されていたが、液晶以外のプラズマ素子、マイクロミラーを用いたデバイスパネルから構成される光変調装置を備えた投写型表示装置に本発明を採用してもよい。
【００６４】
また、前記実施形態における電気光学装置９２５は、光束Ｒ，Ｇ，Ｂを透過して変調する形式のものであったが、これに限らず、入射した光を反射しつつ変調して出射する反射型の光変調装置を備えた投写型表示装置に本発明を採用してもよい。
【００６５】
【発明の効果】
以上に述べたように、本発明によれば、光学部品用筐体を構成する箱状部材または蓋状部材に投写レンズ用の固定部が設けられているので、この投写レンズを光学部品用筐体に直に固定できる。従って、従来用いられていた支持部材を不要にでき、その分装置の小型化および軽量化を図ることができるという効果がある。
【図面の簡単な説明】
【図１】本発明の実施形態に係る投写型表示装置を示す外観斜視図である。
【図２】前記実施形態における投写型表示装置の内部構造を示す斜視図である。
【図３】前記実施形態における投写型表示装置の内部構造を示す斜視図である。
【図４】前記実施形態における投写型表示装置の内部構造を示す斜視図である。
【図５】前記実施形態における光学系の構造を説明するための模式図である。
【符号の説明】
１  投写型表示装置
６  投写レンズ
７  脱落防止部材であるクリップ
９００  光学部品用筐体であるライトガイド
９０１  箱状部材である上ライトガイド
９０２  蓋状部材である下ライトガイド
９０３  固定部であるヘッド板
９１０  色光合成光学系であるクロスダイクロイックプリズム
９２４  色光分離光学系
９２５  電気光学装置
９２５Ｒ  液晶パネル
９２５Ｇ  液晶パネル
９２５Ｂ  液晶パネル
【図１】
0003613070.tif 000002
【図２】
0003613070.tif 000003
【図３】
0003613070.tif 000004
【図４】
0003613070.tif 000005
【図５】
0003613070.tif 000006